(57)【要約】【課題】  爪を修復したモジュラジャックの大型化に伴う新たな引っ掛かりの発生を防止し、様々な外形を有するモジュラジャックの爪折れの修復に対処し得るモジュラジャック用爪折れ修復アタッチメントを提供する。【解決手段】  爪２を備えた支持体３の基部をモジュラジャック４におけるケーブル引き出し面４ａに直近する位置でケーブル５の部分に固定する構造とすることで、モジュラジャック４自体の外形と関わりなく爪の折れたモジュラジャック４に新たな爪２を取り付けられるようにする。また、爪２を備えた支持体３をホルダー６でケーブル５の基部外周面に固定する構造とすることで、修復後のモジュラジャック４の大型化と其れに伴う新たな引っ掛かりの発生を防止する。【選択図】図１
2008004454.tif 000002
【特許請求の範囲】
【請求項１】
雌コネクタの内壁に凹凸嵌合する爪を先端に備えた弾性変形可能な支持体と、モジュラジャックから延出するケーブルの基部外周面を挾圧して前記支持体の基部を前記モジュラジャックにおけるケーブル引き出し面に直近するケーブル部分に固定するホルダーとを備えたことを特徴とするモジュラジャック用爪折れ修復アタッチメント。
【請求項２】
前記支持体の基部には、前記ケーブル引き出し面に当接する抜け止め片が一体に設けられ、更に、この抜け止め片の先端から前記ケーブルの引き出し方向に沿って延びる舌片が一体に設けられると共に、
前記ホルダーは、前記ケーブルの基部外周面を包囲して該ケーブルの基部および該ケーブルの基部外周面に沿って配置された前記舌片を挾圧する溝を相互の対向面に備えた一対のブロック部材によって構成され、
該一対のブロック部材に、各ブロック部材相互の締結と分割を許容する凹凸嵌合部が設けられていることを特徴とする請求項１記載のモジュラジャック用爪折れ修復アタッチメント。
【請求項３】
前記ホルダーは、前記ケーブルの基部外周面を包囲して該ケーブルの基部を挾圧する溝を相互の対向面に備えた一対のブロック部材によって構成され、
該一対のブロック部材に、各ブロック部材相互の締結と分割を許容する凹凸嵌合部が設けられると共に、
何れか一方のブロック部材に前記支持体が一体に形成されていることを特徴とする請求項１記載のモジュラジャック用爪折れ修復アタッチメント。
【請求項４】
前記支持体の基部に、前記ケーブル引き出し面に当接し、かつ、前記ケーブルの基部外周面を包囲して該ケーブルの基部を挾圧するＣリング状のホルダーが一体に形成されていることを特徴とする請求項１記載のモジュラジャック用爪折れ修復アタッチメント。
【発明の詳細な説明】
【技術分野】
【０００１】
本発明は、爪の折れたモジュラジャックの再生に利用されるモジュラジャック用爪折れ修復アタッチメントの改良に関する。
【背景技術】
【０００２】
ＵＴＰケーブル，電話，ＦＡＸ，モデム等の接続に利用される４〜６端子のＲＪ−１１モジュラジャックあるいは８端子のＲＪ−４５モジュラジャックが公知である。
【０００３】
この種のモジュラジャックは何れもモジュラジャックの側面に突設された弾性変形可能な支持体に形成された爪を雌コネクタの内壁に凹凸嵌合させることによって機器の使用中におけるモジュラジャックの抜けを防止する構造を有する。
【０００４】
従来のモジュラジャックは、爪を形成した支持体がモジュラジャックにおける先端寄りの位置からケーブル側に向けて片持ち梁状に突出するかたちでモジュラジャックの側面から徐々に離間するようにしてケーブル側に延出しており、雌コネクタに接続された状態で外側に突出する支持体の先端部を指先で押圧操作し、支持体の基部寄りの位置に形成された爪を雌コネクタの内壁の嵌合凹部に係脱させることによって、モジュラジャックを雌コネクタに固定し或いは固定を解除する構造であった。
【０００５】
このため、モジュラジャックを機器から引き抜く際に支持体の先端部が機器類や他のケーブル等に引っ掛かることが多く、その際、支持体の先端をモジュラジャックの側面に接近させる通常の操作方向と逆向きの方向つまり支持体をモジュラジャックの側面から離間させる方向の強い力が作用し、支持体の基部が破断してモジュラジャックから爪と支持体が毟り取られるといった問題が往々にして発生していた。
【０００６】
また、嵌合用の爪が支持体の基部寄りの位置に形成されていた関係上、雌コネクタの嵌合凹部から爪を離脱させるためには、基部から爪に至る支持体の部分を大きく撓ませる必要があり、特に、繰り返し着脱を行うようモジュラジャックにおいては、支持体の基部が劣化して破断し易くなるといった問題があった。
【０００７】
爪が折れたモジュラジャックを新規のものに交換するためには、壊れたモジュラジャックをケーブルから切り離し、その後、専用の器具によって新しいモジュラジャックをケーブルに圧着するという手順が必要であるが、大多数のケーブル利用者はそのような専用器具は持っていない。その結果、とることができる選択肢は、モジュラジヤックが雌コネクタから離脱することに注意を払いながら爪が折れたモジュラジャックをそのまま利用し続けるか、モジュラジャック付きの新しいケーブルを購入してそれを利用するかの２通りの選択肢しかなかった。
【０００８】
爪が折れたモジュラジャックを修復してケーブルを有効に利用する技術としては、特許文献１に開示される修復用モジュラプラグカバーが既に提案されている。
【０００９】
この修復用モジュラプラグカバーは、中空の収納部の外側に補修用の爪を一体に形成したものであり、爪が折れたモジュラジャックに収納部を外嵌して取り付け、この収納部を介して爪が折れたモジュラジャックに補修用の爪を取り付けるようにしたものである。
【００１０】
特許文献１の修復用モジュラプラグカバーでは、前述した従来のものとは逆に、爪を形成した支持体がモジュラジャックの側面におけるケーブル引き出し面寄りの位置からモジュラジャックの側面における先端寄りの位置に向けて片持ち梁状に突出するかたちで延出しており、雌コネクタの嵌合凹部と凹凸嵌合する爪は支持体の先端に設けられているので、モジュラジャックを機器から引き抜く際に支持体の先端部が機器類や他のケーブル等に引っ掛かるといった可能性は低い。また、嵌合用の爪は支持体の長手方向の先端に形成されているので、支持体を其の全長に亘って撓ませて雌コネクタの嵌合凹部から爪を離脱させることが可能となり、繰り返しの変形による支持体の基部の劣化といった問題も大幅に改善される。
【００１１】
しかし、爪が折れたモジュラジャックの外側に更に修復用モジュラプラグカバーを外嵌することによって補修用の爪を取り付ける構造であるため、修復されたモジュラジャックの外形は当初のモジュラジャックの外形よりも必然的に大きくなり、モジュラジャックそれ自体が機器類や他のケーブル等に引っ掛かり易くなるといった弊害が生じる。
【００１２】
また、モジュラジャックの形状は其の先端形状や内部のピン配列等のように直接的に機能に影響する部分を別にすれば必ずしも一様ではなく、例えば、機能部品の外側に特異形状の成形品やゴムブーツ等を固着したものもあるので、修復用モジュラプラグカバーの収納部を爪の折れた全てのモジュラジャックに外嵌できるといった保証がない。
【００１３】
【特許文献１】特開２００１−１５５８２１号公報
【発明の開示】
【発明が解決しようとする課題】
【００１４】
そこで、本発明の目的は、前記従来技術の不都合を解消し、支持体の先端部の引っ掛かりや繰り返しの着脱による基部の損傷を防止すると共に、爪を修復したモジュラジャックの大型化に伴う新たな引っ掛かりの発生を防止し、併せて、様々な外形を有するモジュラジャックの爪折れの修復に対処し得るモジュラジャック用爪折れ修復アタッチメントを提供することにある。
【課題を解決するための手段】
【００１５】
本発明のモジュラジャック用爪折れ修復アタッチメントは、前記目的を達成するため、雌コネクタの内壁に凹凸嵌合する爪を先端に備えた弾性変形可能な支持体と、モジュラジャックから延出するケーブルの基部外周面を挾圧して前記支持体の基部を前記モジュラジャックにおけるケーブル引き出し面に直近するケーブル部分に固定するホルダーとを備えたことを特徴とする構成を有する。
【００１６】
以上の構成により、雌コネクタの内壁に凹凸嵌合する爪を先端に備えた弾性変形可能な支持体の基部が、モジュラジャックから延出するケーブルの基部外周面を挾圧するホルダーを介して、前記モジュラジャックにおけるケーブル引き出し面に直近するケーブル部分に固定される。
爪を備えた支持体の基部がモジュラジャックの本体ではなくケーブル引き出し面に直近するケーブル部分に固定される構造であるから、モジュラジャック自体の外形とは関わりなく、爪の折れたモジュラジャックに確実に新たな爪を取り付けることができる。つまり、様々な外形を有するモジュラジャックの修復に対処し得る。
また、爪を備えた支持体を固定するホルダーはケーブルの基部外周面を挾圧して支持体をケーブル部分に固定する構造であり、最低限、ケーブルの直径を上回る外形が必要であるが、この大きさは、モジュラジャック自体の大きさと同等あるいは其れよりも小さくすることができる。従って、修復後のモジュラジャックが大型化することはなく、モジュラジャックの大型化に伴う新たな引っ掛かりは発生しない。
そして、支持体は、其の基部をケーブル引き出し面に直近するケーブル部分に固定され、其の先端に備えられた爪を雌コネクタの内壁に凹凸嵌合させる構成であるから、支持体を全長に亘って撓ませて雌コネクタの嵌合凹部から爪を離脱させることができる。よって、繰り返しの変形による支持体の基部の劣化といった問題が改善され、同時に、モジュラジャックを機器から引き抜く際に支持体の先端部が機器類や他のケーブル等に引っ掛かるといった可能性も低くなり、支持体の先端部の引っ掛かりや繰り返しの着脱による基部の損傷を効果的に防止することができる。
【００１７】
より具体的には、例えば、モジュラジャックにおけるケーブル引き出し面と当接する抜け止め片を支持体の基部に一体に設け、更に、この抜け止め片の先端からケーブルの引き出し方向に沿って延びる舌片を一体に設けると共に、
ケーブルの基部外周面を包囲して該ケーブルの基部およびケーブルの基部外周面に沿って配置された前記舌片を挾圧する溝を相互の対向面に備えた一対のブロック部材によってホルダーを構成し、
この一対のブロック部材に、各ブロック部材相互の締結と分割を許容する凹凸嵌合部を設けるといった構成が適用できる。
【００１８】
このような構成を適用した場合、支持体の基部に抜け止め片を介して一体に形成された舌片をケーブルの基部外周面に沿って配置し、相互の対向面に溝を備えた一対のブロック部材により、舌片もろともにケーブルの基部外周面を挾圧し、各ブロック部材の凹凸嵌合部を嵌合させることによって、支持体の基部をケーブル引き出し面に直近するケーブル部分に固定することになる。
この際、支持体の基部に形成されている抜け止め片がモジュラジャックにおけるケーブル引き出し面と一対のブロック部材の端面との間に挟み込まれるかたちとなるので、モジュラジャックに対する支持体の位置ずれが効果的に防止される。特に、支持体の基部に形成された抜け止め片が、この抜け止め片と一体に形成された支持体および爪を介して雌コネクタ側の嵌合凹部に係止され、この抜け止め片がモジュラジャックにおけるケーブル引き出し面に当接することになるので、モジュラジャックを雌コネクタに対して確実に固定することができる。
そして、何らかの理由で修復後の支持体あるいは爪に損傷が生じたような場合においては、各ブロック部材の凹凸嵌合部の係合を解除して一対のブロック部材をケーブルから取り外し、損傷した支持体を取り除いた後、前記と同様にして改めて新しい支持体を取り付けるようにすればよく、ブロック部材の交換は不要である。
【００１９】
あるいは、ケーブルの基部外周面を包囲して該ケーブルの基部を挾圧する溝を相互の対向面に備えた一対のブロック部材によってホルダーを構成し、
この一対のブロック部材に、各ブロック部材相互の締結と分割を許容する凹凸嵌合部を設け、
何れか一方のブロック部材に支持体を一体に形成した構成としてもよい。
【００２０】
このような構成を適用した場合、相互の対向面に溝を備えた一対のブロック部材をケーブル引き出し面に直近するケーブル部分に固定するだけの簡単な作業で爪の折れたモジュラジャックを修復することができる。但し、何らかの理由で修復後の支持体あるいは爪に損傷が生じたような場合には、支持体を一体成形した側のブロック部材の交換が必要である。
【００２１】
更には、モジュラジャックにおけるケーブル引き出し面に当接し、かつ、前記ケーブルの基部外周面を包囲して該ケーブルの基部を挾圧するＣリング状のホルダーを支持体の基部に一体に形成した構成としてもよい。
【００２２】
このような構成を適用した場合には、モジュラジャックにおけるケーブル引き出し面に直近するケーブル部分にＣリング状のホルダーを外嵌してケーブルを挾圧することで、支持体の基部をケーブル引き出し面に直近するケーブル部分に固定することになる。
このＣリング状のホルダーは支持体と一体に形成されたものであり、前述した抜け止め片と同様、支持体および爪を介して雌コネクタ側の嵌合凹部に係止されることになるので、このＣリング状のホルダーによって雌コネクタからのモジュラジャックの脱落を確実に防止することができる。
【発明の効果】
【００２３】
本発明のモジュラジャック用爪折れ修復アタッチメントは、爪を備えた支持体の基部をモジュラジャックにおけるケーブル引き出し面に直近する位置でケーブル部分に固定する構造であり、モジュラジャック自体の外形とは関わりなく爪の折れたモジュラジャックに確実に新たな爪を取り付けることができるので、様々な外形を有するモジュラジャックの爪折れの修復に対処することができる。
【００２４】
また、爪を備えた支持体を固定するホルダーはケーブルの基部外周面を挾圧して支持体をケーブル部分に固定する構造であり、モジュラジャック自体の大きさと同等あるいは其れよりも小さくすることができるので、修復後のモジュラジャックの大型化およびモジュラジャックの大型化に伴う新たな引っ掛かりの発生を未然に防止することができる。
【００２５】
更に、支持体の基部をケーブル引き出し面に直近するケーブル部分に固定し、其の先端に備えられた爪を雌コネクタの内壁に凹凸嵌合させる構成であるから、支持体を全長に亘って撓ませて雌コネクタの嵌合凹部から爪を離脱させることができる。このため、繰り返しの変形による支持体の基部の劣化といった問題が改善され、同時に、モジュラジャックを機器から引き抜く際に支持体の先端部が機器類や他のケーブル等に引っ掛かるといった可能性も低くなり、支持体の先端部の引っ掛かりや繰り返しの着脱による基部の損傷を効果的に防止することができる。
【発明を実施するための最良の形態】
【００２６】
次に、本発明を実施するための最良の形態について図面を参照して具体的に説明する。図１は本発明を適用した一実施形態のモジュラジャック用爪折れ修復アタッチメントの構成について簡略化して示した斜視図である。
【００２７】
この実施形態のモジュラジャック用爪折れ修復アタッチメント１は、図１に示されるように、雌コネクタの内壁に凹凸嵌合する爪２を先端に備えた弾性変形可能な支持体３と、モジュラジャック４から延出するケーブル５の基部外周面を挾圧して支持体３の基部３ａをモジュラジャック４におけるケーブル引き出し面４ａに直近するケーブル５の部分に固定するホルダー６とによって構成される。
【００２８】
なお、爪２に凹凸嵌合する雌コネクタ側の嵌合凹部の構造は公知であり、また、爪の折れたモジュラジャック４（以下、単にモジュラジャック４という）の形状に関しても周知であるので、図１中では詳細な形状に関する記載は省略し、単に、モジュラジャック４の外形のアウトラインを簡略化して示すにとどめる。
【００２９】
図１に示す通り、支持体３の基部３ａには、モジュラジャック４におけるケーブル引き出し面４ａに当接する抜け止め片７が一体に設けられ、更に、この抜け止め片７の先端からケーブル５の引き出し方向に沿って延びる舌片８が連続して一体に形成されている。
【００３０】
支持体３は、爪２と抜け止め片７および舌片８の部分を含め、熱可塑性樹脂を使用した射出成形加工、あるいは、板金を使用した打ち抜き加工やキンク加工等を利用して一体に製造される。
【００３１】
支持体３の部分は「へ」の字型の屈曲形状を有し、このうち「へ」の字の頂点を境として基部３ａ寄りの部分が手動操作部３ｂとして機能し、また、「へ」の字の頂点を境として爪２寄りの部分が揺動部３ｃとして機能する。
【００３２】
つまり、手動操作部３ｂは、支持体３の先端に形成された爪２を雌コネクタ側の嵌合凹部から離脱させる際に人が指先で押圧操作する部分であり、揺動部３ｃは、押圧操作に伴って生じる手動操作部３ｂの姿勢変化に同期して姿勢を変えて支持体３の先端に位置する爪２をモジュラジャック４の側面に引き寄せて雌コネクタ側の嵌合凹部から離脱させるための作用部分である。
【００３３】
この実施形態においては、舌片８の部分と抜け止め片７の部分とが成す角αが略９０°であり、手動操作部３ｂの部分と抜け止め片７の部分とが成す角β、および、揺動部３ｃの部分と手動操作部３ｂの部分とが成す角γが共に略１３５°であって、手動操作部３ｂに押圧力が作用しない状態においては揺動部３ｃがモジュラジャック４の側面と略平行の状態となるが、モジュラジャック４を雌コネクタに挿入するために手動操作部３ｂを押圧すると、揺動部３ｃの姿勢が、先端の爪２をモジュラジャック４の側面に接近させる方向に変化し、雌コネクタの内壁の上面に形成された溝の両側の縁に爪２を摺接させながら雌コネクタの内部に突入するのに丁度よい角度となる。
【００３４】
ホルダー６は、一対のブロック部材９，１０によって構成され、ブロック部材９，１０の相互の対向面９ａ，１０ａの各々には、ケーブル５の基部外周面を包囲して挾圧するに適した部分円弧状の溝１１，１２が形成されている。
【００３５】
ここでは、一例として、ケーブル５の外周形状に倣って形成された部分円弧状の溝について示しているが、ケーブル５は６極２芯，６極４芯（ＲＪ−１１）あるいは８極８芯（ＲＪ−４５）のケーブルであり、更に、これらを纏めて被覆するための外皮を備えたものであって或る程度の変形を許容することが可能な構造にあるから、溝１１，１２の形状は必ずしも部分円弧状でなくともよく、例えば、矩形溝等であっても構わない。
【００３６】
図２（ａ）はブロック部材９を示した平面図、図２（ｂ）はブロック部材９を示した正面図、図２（ｃ）はブロック部材９を示した右側面図であり、また、図３（ａ）はブロック部材１０を示した平面図、図３（ｂ）はブロック部材１０を示した正面図、図３（ｃ）はブロック部材１０を示した右側面図である。
【００３７】
これらの図面から明らかなように、ブロック部材９の溝１１は対向面９ａの中央部を通らずに僅かに片側寄り即ち図２（ａ）および図２（ｃ）中で僅かに下側寄りにオフセットして形成され、また、これと同様に、ブロック部材１０側の溝１２も対向面１０ａの中央部を通らずに僅かに片側寄り即ち図３（ａ）および図３（ｃ）中で僅かに下側寄りにオフセットして形成されている。オフセットの量は何れのものも同等である。
【００３８】
従って、ブロック部材９の溝１１とブロック部材１０の溝１２が完全に合致するようにしてブロック部材９とブロック部材１０を組み合わせるようにすれば、溝１１と溝１２によって形成される円の内径と同等あるいは其れよりも僅かに大きい外径を有するケーブル５を溝１１と溝１２の間で的確に挾圧することができ、また、溝１１と溝１２のオフセット方向が逆になるようにしてブロック部材９とブロック部材１０を組み合わせるようにすれば、溝１１と溝１２の間に形成される空間の見かけ上の断面積が実質的に減少することになるので、前述した円の内径よりも小さい外径を有するケーブル５であっても、溝１１と溝１２の間に的確に挾圧することが可能となる。
【００３９】
つまり、ケーブル５の極数や芯数の相違あるいはメーカーによる規格のばらつき等を考慮して多種多様のホルダー６（ブロック部材９，１０）を生産するといった必要はなく、単一規格のホルダー６（ブロック部材９，１０）によって、殆ど全てのケーブル５を的確に挾圧することが可能である。
【００４０】
図１に示される通り、ブロック部材９の側には、溝１１を形成した面９ａを挟む両側の面の各々から一対のラチェット爪１３が突設される一方、もう一方のブロック部材１０の側には、溝１２を形成した面１０ａを挟む両側の面の各々に、ラチェット爪１３のテーパ面をガイドするためのガイド溝１４とラチェット爪１３のシア部分に凹凸嵌合する嵌合凹部１５が形成されている。これらのラチェット爪１３と嵌合凹部１５は、ブロック部材９，１０相互の締結と分割を許容する凹凸嵌合部として機能する。
【００４１】
なお、溝１１と溝１２の間にケーブル５もろともに支持体３の舌片８を挟み込んで挾圧する必要上、舌片８の横幅は溝１１，１２の幅に比べて狭くしておく必要があり、また、舌片８の部分の全長は、見映え上、ホルダー６（ブロック部材９，１０）から外側に食み出さないように、ホルダー６（ブロック部材９，１０）の全長よりも短くすることが望ましい。舌片８の上面側がブロック部材９の溝１１と馴染むように舌片８の上面側を二次曲面状に形成してもよいが、支持体３の一部である舌片８は或る程度の弾性変形が可能であるから、必ずしも、上面側を二次曲面状とする必要はない。
【００４２】
図１に示されるホルダー６（ブロック部材９，１０）の外形は、これらを組み合わせた状態で概ねモジュラジャック４と同等の大きさとなるが、更なる小型化も可能である。
【００４３】
モジュラジャック４を修復する際には、図４に示されるように、支持体３の抜け止め片７がモジュラジャック４のケーブル引き出し面４ａに密着するようにして支持体３の舌片８をケーブル５の基部外周面に沿って配置し、この状態を保持したまま、図１に示されるように、溝１１，１２を備えた一対のブロック部材９，１０で舌片８もろともにケーブル５の基部外周面を挾圧し、ブロック部材９のラチェット爪１３をブロック部材１０の嵌合凹部１５に嵌合させて、支持体３の基部３ａをケーブル引き出し面４ａに直近するケーブル５の部分に固定する。
【００４４】
このように、爪２を備えた支持体３の基部３ａが、モジュラジャック４のケーブル引き出し面４ａに直近するケーブル５の部分に固定される構造であるから、モジュラジャック４自体の外形とは関わりなくモジュラジャック４に確実に新たな爪２を取り付けられるので、様々な外形を有するモジュラジャック４の修復に対処することができる。また、既に述べたように、ケーブル５の外径の大小の違いに対しては、ブロック部材９とブロック部材１０を組み合わせる際の方向性を調整することで容易に対応することが可能である。
【００４５】
しかも、ホルダー６（ブロック部材９，１０）の外形は、モジュラジャック４自体の大きさと同等あるいは其れよりも小さくすることが可能であるから、支持体３およびホルダー６を使用して爪を修復したモジュラジャック４を使用しても、それ以前に増して他の機器類や他のケーブル等との引っ掛かりの可能性が増大するといった問題は生じない。
【００４６】
支持体３およびホルダー６を使用して爪２を修復したモジュラジャック４の状態を図５に示す。
【００４７】
図５に示される通り、支持体３の一部である抜け止め片７の部分が、モジュラジャック４におけるケーブル引き出し面４ａとブロック部材９，１０の端面との間に挟み込まれるかたちとなるので、モジュラジャック４に対する支持体３の位置ずれを確実に防止することができる。
【００４８】
このモジュラジャック４を機器側の雌コネクタ１６に接続する際には、まず、支持体３の手動操作部３ｂを押圧して揺動部３ｃの姿勢を変化させ、揺動部３ｃが雌コネクタ１６の内壁の上面１６ａに対して俯角を成すようにした状態で、先端に位置する爪２の上面側を雌コネクタ１６の内壁の上面１６ａに形成された図示しない溝の両側に摺接させながらモジュラジャック４を雌コネクタ１６に突入させる。
【００４９】
モジュラジャック４を雌コネクタ１６に侵入させるにつれて雌コネクタ１６の内壁上面１６ａに形成された溝の両側の縁で爪２の上面側が押圧され、支持体３が弾性変形して爪２が図５中の矢印Ａ方向に下降し、最終的に、モジュラジャック４が接続完了位置にまで突入した時点で、前述の溝に連絡して形成された雌コネクタ１６の嵌合凹部に爪２が突入し、この突入状態が支持体３の弾性復帰力によって保持されて、コネクタ１６に対するモジュラジャック４の固定が完了する。
【００５０】
モジュラジャック４がコネクタ１６に取り付けられた状態においては、支持体３の基部に形成されている抜け止め片７が、この抜け止め片７と一体に形成された支持体３および爪２を介して雌コネクタ１６側の嵌合凹部に係止され、この抜け止め片７がモジュラジャック４におけるケーブル引き出し面４ａを押さえることになるので、モジュラジャック４を雌コネクタ１６に対して確実に固定することができる。
【００５１】
また、雌コネクタ１６からモジュラジャック４を取り外す際には、図６の矢印Ｂに示されるようにして支持体３の手動操作部３ｂを押圧し、支持体３の弾性変形で揺動部３ｃの姿勢を変化させて、其の先端に位置する爪２を雌コネクタ１６側の嵌合凹部から離脱させて爪２と雌コネクタ１６の嵌合凹部との係合を解除し、モジュラジャック４を雌コネクタ１６から引き抜く。
【００５２】
モジュラジャック４を機器側の雌コネクタ１６に係脱する際には支持体３を弾性変形させることによって爪２をモジュラジャック４に対して接離移動させる必要があるが、支持体３の基部３ａをモジュラジャック４のケーブル引き出し面４ａに直近するケーブル５の部分に固定し、其の先端に備えられた爪２を雌コネクタ１６の嵌合凹部に凹凸嵌合させる構成であるから、従来の如くモジュラジャック４の側面における先端寄りの位置からケーブル５側に向けて片持ち梁状に支持体を突出させ、この支持体の基部寄りの位置に形成した爪を接離移動させるものとは相違し、支持体３を全長に亘って撓ませて雌コネクタ１６の嵌合凹部から爪２を離脱させることができる。
つまり、支持体３の基部３ａから爪２に至るスパンを従来品に比べて長くとることが可能であるため、支持体３の基部３ａの弾性変形量が少なくて済み、モジュラジャック４の着脱の繰り返しによる基部３ａの劣化といった問題を大幅に改善することができるので、支持体３の耐久性が向上する。
【００５３】
また、支持体３はモジュラジャック４の先端側に向けて延び出しているので、モジュラジャック４を機器側の雌コネクタ１６から引き抜く際に支持体３の先端部や爪２が他の機器類や他のケーブル等に引っ掛かるといった可能性も低くなり、支持体３の先端部の引っ掛かりによる基部３ａの損傷も効果的に防止することができる。
【００５４】
なお、何らかの理由で修復後の支持体３あるいは爪２に損傷が生じたような場合においては、各ブロック部材９，１０の締結を解除してブロック部材９，１０をケーブル５から取り外し、損傷した支持体３を取り除いた後、前記と同様にして改めて新しい支持体３を取り付けるようにすればよく、ブロック部材９，１０の交換は不要である。
【００５５】
この実施形態では、先端に爪２を備えた支持体３とブロック部材９，１０からなるホルダー６によってモジュラジャック用爪折れ修復アタッチメント１を構成したが、支持体３とブロック部材９、あるいは、支持体３とブロック部材１０を一体に形成してもよい。
支持体３がブロック部材９あるいはブロック部材１０と一体化している点を除き、全体的な構造は図１に示したものと同様であるので詳細な説明は省略する。
このような構成を適用した場合、ブロック部材９，１０の何れか一方に支持体３が一体化されているので、ブロック部材９，１０をモジュラジャック４のケーブル引き出し面４ａに直近するケーブル５の部分に固定するだけの極めて簡単な作業で爪の折れたモジュラジャック４を修復することができる。但し、何らかの理由で修復後の支持体３あるいは爪２に損傷が生じたような場合には、支持体３のみを交換することはできず、支持体３と一体化したブロック部材９あるいはブロック部材１０の交換が必要となる。
【００５６】
図７は他の一実施形態におけるモジュラジャック用爪折れ修復アタッチメント１’について示した斜視図である。
【００５７】
この実施形態のモジュラジャック用爪折れ修復アタッチメント１’は、雌コネクタの内壁に凹凸嵌合する爪２を先端に備えた弾性変形可能な支持体３’と、この支持体３’の基部３ａに一体に成形されたＣリング状のホルダー６’とによって構成される。
【００５８】
支持体３’の主要部の構造は前述した実施形態の支持体３と同様であり、全体として「へ」の字型の屈曲形状を有し、このうち「へ」の字の頂点を境として基部３ａ寄りの部分が手動操作部３ｂとして機能し、また、「へ」の字の頂点を境として爪２寄りの部分が揺動部３ｃとして機能する。
【００５９】
この実施形態では、更に、基部３ａに一体に形成された抜け止め片７に連絡して、モジュラジャック４におけるケーブル引き出し面４ａに当接し、かつ、ケーブル５の基部外周面を包囲して該ケーブル５の基部を挾圧するＣリング状のホルダー６’が設けられる。
【００６０】
このような構成を適用してモジュラジャック４を修復する際には、モジュラジャック４におけるケーブル引き出し面４ａに直近するケーブル５の部分にＣリング状のホルダー６’の切れ目部分を押し当て、ホルダー６’を弾性変形させて其の切れ目部分を拡径させるようにして該ホルダー６’をケーブル５に外嵌し、ホルダー６’の弾性復帰力を利用してＣリング状のホルダー６’の内周面でケーブル５を挾圧させる。
【００６１】
Ｃリング状のホルダー６’は支持体３’と一体に形成されたものであり、前述した抜け止め片７と同様、支持体３’および爪２を介して雌コネクタ１６側の嵌合凹部に係止されることになるので、このＣリング状のホルダー６’によって雌コネクタ１６からのモジュラジャック４の脱落を確実に防止することができる。
【００６２】
このＣリング状のホルダー６’がケーブル５を挾圧する力は其れほど強くないので、モジュラジャック４を雌コネクタ１６から取り外した状態においてはケーブル５の長さ方向に沿ってホルダー６’が移動するといったことも考えられるが、前述した通り、モジュラジャック４を雌コネクタ１６に装着した状態では、支持体３’の爪２が雌コネクタ１６側の嵌合凹部に係止されることにより、ホルダー６’がケーブル引き出し面４ａから離間する方向に移動することが確実に防止され、更に、ケーブル引き出し面４ａに当接したホルダー６’によって雌コネクタ１６からのモジュラジャック４の脱落も防止されるので、何らの支障も生じない。
【図面の簡単な説明】
【００６３】
【図１】本発明を適用した一実施形態のモジュラジャック用爪折れ修復アタッチメントの構成について簡略化して示した斜視図である。
【図２】図２（ａ）はホルダーの一部を構成するブロック部材を示した平面図、図２（ｂ）は同ブロック部材を示した正面図、図２（ｃ）は同ブロック部材を示した右側面図である。
【図３】図３（ａ）はホルダーの他部を構成するブロック部材を示した平面図、図３（ｂ）は同ブロック部材を示した正面図、図３（ｃ）は同ブロック部材を示した右側面図である。
【図４】モジュラジャックに対する支持体の取り付け位置について示した図である。
【図５】支持体およびホルダーを使用して爪を修復したモジュラジャックの状態、および、修復されたモジュラジャックを雌コネクタに接続する際の操作について示した図である。
【図６】修復されたモジュラジャックを雌コネクタから取り外す際の操作について示した図である。
【図７】他の一実施形態におけるモジュラジャック用爪折れ修復アタッチメントについて示した斜視図である。
【符号の説明】
【００６４】
１  モジュラジャック用爪折れ修復アタッチメント
１’  モジュラジャック用爪折れ修復アタッチメント
２  爪
３  支持体
３’  支持体
３ａ  支持体の基部
３ｂ  手動操作部
３ｃ  揺動部
４  モジュラジャック
４ａ  ケーブル引き出し面
５  ケーブル
６  ホルダー
６’  ホルダー
７  抜け止め片
８  舌片
９  ブロック部材（ホルダーの一部）
９ａ  対向面
１０  ブロック部材（ホルダーの一部）
１０ａ  対向面
１１  溝
１２  溝
１３  ラチェット爪（凹凸嵌合部）
１４  ガイド溝
１５  嵌合凹部（凹凸嵌合部）
１６  雌コネクタ
【図１】
2008004454.tif 000003
【図２】
2008004454.tif 000004
【図３】
2008004454.tif 000005
【図４】
2008004454.tif 000006
【図５】
2008004454.tif 000007
【図６】
2008004454.tif 000008
【図７】
2008004454.tif 000009